【手続補正書】
【提出日】平成29年4月28日(2017.4.28)
【手続補正１】
【補正対象書類名】特許請求の範囲
【補正対象項目名】全文
【補正方法】変更
【補正の内容】
【特許請求の範囲】
【請求項１】
光電変換素子と、
前記光電変換素子により生成された電荷に応じた電圧を出力する増幅トランジスタと、
前記増幅トランジスタにバイアス電流を供給する負荷トランジスタと、
電圧値が互いに異なる第１の電圧又は第２の電圧を、入力容量素子を介して前記負荷トランジスタの制御ノードに入力する電圧供給部とを有し、
前記第２の電圧が前記入力容量素子を介して前記制御ノードに入力されることによって、前記負荷トランジスタが供給する前記バイアス電流の電流値が、前記第１の電圧が前記入力容量素子を介して前記制御ノードに入力されることによって、前記負荷トランジスタが供給する前記バイアス電流の電流値よりも大きいことを特徴とする撮像装置。
【請求項２】
光電変換素子と、前記光電変換素子により生成された電荷に応じた電圧を出力する増幅トランジスタと、
前記増幅トランジスタに第１のバイアス電流を供給する第１の負荷トランジスタと、
前記増幅トランジスタの出力を増幅して出力する増幅器と、
前記増幅器に第２のバイアス電流を供給する第２の負荷トランジスタと、
電圧値が互いに異なる第１の電圧又は第２の電圧を、入力容量素子を介して前記第２の負荷トランジスタの制御ノードに入力する電圧供給部とを有し、
前記第２の電圧が前記入力容量素子を介して前記制御ノードに入力されることによって、前記第２の負荷トランジスタが供給する前記第２のバイアス電流の電流値が、前記第１の電圧が前記入力容量素子を介して前記制御ノードに入力されることによって、前記第２の負荷トランジスタが供給する前記第２のバイアス電流の電流値よりも大きいことを特徴とする撮像装置。
【請求項３】
光電変換素子と、前記光電変換素子により生成された電荷に応じた電圧を出力する増幅トランジスタと、
前記増幅トランジスタにバイアス電流を供給する負荷トランジスタと、
制御ノードが前記負荷トランジスタの出力端子に接続され、第１の主ノードが前記負荷トランジスタの制御ノードにそれぞれ接続された入力トランジスタと、
電圧値が互いに異なる第１の電圧又は第２の電圧を、前記入力トランジスタの第２の主ノードに入力する電圧供給部とを有し、
前記第２の電圧が前記第２の主ノードに入力されることによって、前記負荷トランジスタが供給する前記バイアス電流の電流値が、前記第１の電圧が前記第２の主ノードに入力されることによって、前記負荷トランジスタが供給する前記バイアス電流の電流値よりも大きいことを特徴とする撮像装置。
【請求項４】
前記第１の電圧と前記第２の電圧の差は、前記増幅トランジスタから出力される前記電圧に応じて制御されることを特徴とする請求項１乃至３のいずれか１項に記載の撮像装置。
【請求項５】
前記電圧供給部が前記第２の電圧を出力する期間は前記増幅トランジスタから出力される電圧に応じて制御されることを特徴とする請求項１乃至３のいずれか１項に記載の撮像装置。
【請求項６】
前記第２の電圧は前記第１の電圧よりも振幅が大きいことを特徴とする請求項１乃至５のいずれか１項に記載の撮像装置。
【請求項７】
前記光電変換素子と前記増幅トランジスタとの間の電気的経路を、オンの状態で導通とし、オフの状態で非導通とする転送トランジスタをさらに有し、
前記電圧供給部は、前記転送トランジスタがオフの状態においては前記第１の電圧を出力し、前記転送トランジスタがオフからオンとなった状態から所定の期間は、前記第２の電圧を出力し、前記所定の期間の経過後から再び前記転送トランジスタがオフの状態になるまでの期間は、前記第１の電圧を出力することを特徴とする請求項１乃至６のいずれか１項に記載の撮像装置。
【請求項８】
請求項１乃至７のいずれか１項に記載の撮像装置がライン状に配置されていることを特徴とするラインセンサ。
【請求項９】
請求項１乃至７のいずれか１項に記載の撮像装置が行列状に配置されていることを特徴とするエリアセンサ。
【請求項１０】
請求項１乃至７のいずれか１項に記載の撮像装置を備えることを特徴とする撮像システム。
【請求項１１】
請求項４又は５に記載の撮像装置を備える撮像システムであって、前記撮像システムのＩＳＯ感度設定に基づいて前記撮像装置の制御が行われることを特徴とする撮像システム。
【請求項１２】
光電変換素子と、前記光電変換素子により生成された電荷に応じた電圧を出力する増幅トランジスタと、
前記増幅トランジスタにバイアス電流を供給する負荷トランジスタとを有する撮像装置の駆動方法であって、
電圧値が互いに異なる第１の電圧と第２の電圧との一方ずつを、入力容量素子を介して前記負荷トランジスタの制御ノードに入力し、
前記第２の電圧を前記入力容量素子を介して前記制御ノードに入力することによって、前記負荷トランジスタが供給する前記バイアス電流の電流値が、前記第１の電圧を前記入力容量素子を介して前記制御ノードに入力することによって、前記負荷トランジスタが供給する前記バイアス電流の電流値よりも大きいことを特徴とする撮像装置の駆動方法。
【請求項１３】
前記光電変換素子と前記増幅トランジスタとの間の電気的経路を、オンの状態で導通とし、オフの状態で非導通とする転送トランジスタをさらに有し、
前記転送トランジスタがオフの状態においては前記第１の電圧を前記制御ノードに入力し、前記転送トランジスタがオフからオンとなった状態から所定の期間は、前記第２の電圧を前記制御ノードに入力し、前記所定の期間の経過後から前記転送トランジスタが再びオフの状態になるまでの期間は、前記第１の電圧を前記制御ノードに入力することを特徴とする請求項１２に記載の撮像装置の駆動方法。
【請求項１４】
光電変換素子と、前記光電変換素子により生成された電荷に応じた電圧を出力する増幅トランジスタと、
前記増幅トランジスタに第１のバイアス電流を供給する第１の負荷トランジスタと、
前記増幅トランジスタの出力を増幅して出力する増幅器と、
前記増幅器に第２のバイアス電流を供給する第２の負荷トランジスタとを有する撮像装置の駆動方法であって、
電圧値が互いに異なる第１の電圧又は第２の電圧を、入力容量素子を介して前記第２の負荷トランジスタの制御ノードに入力し、
前記第２の電圧を前記入力容量素子を介して前記制御ノードに入力することによって、前記第２の負荷トランジスタが供給する前記第２のバイアス電流の電流値が、前記第１の電圧を前記入力容量素子を介して前記制御ノードに入力することによって、前記第２の負荷トランジスタが供給する前記第２のバイアス電流の電流値よりも大きいことを特徴とする撮像装置の駆動方法。
【請求項１５】
前記光電変換素子と前記増幅トランジスタとの間の電気的経路を、オンの状態で導通とし、オフの状態で非導通とする転送トランジスタをさらに有し、
前記転送トランジスタがオフの状態においては前記第１の電圧を前記制御ノードに入力し、前記転送トランジスタがオフからオンとなった状態から所定の期間は、前記第２の電圧を前記制御ノードに入力し、前記所定の期間の経過後から前記転送トランジスタが再びオフの状態になるまでの期間は、前記第１の電圧を前記制御ノードに入力することを特徴とする請求項１４に記載の撮像装置の駆動方法。
【請求項１６】
光電変換素子と、前記光電変換素子により生成された電荷に応じた電圧を出力する増幅トランジスタと、
前記増幅トランジスタにバイアス電流を供給する負荷トランジスタと、
制御ノードが前記負荷トランジスタの出力端子に接続され、第１の主ノードが前記負荷トランジスタの制御ノードにそれぞれ接続された入力トランジスタとを有する撮像装置の駆動方法であって、
電圧値が互いに異なる第１の電圧又は第２の電圧を、前記入力トランジスタの第２の主ノードに入力し、
前記第２の電圧を前記第２の主ノードに入力することによって、前記負荷トランジスタが供給する前記バイアス電流の電流値が、前記第１の電圧を前記第２の主ノードに入力することによって、前記負荷トランジスタが供給する前記バイアス電流の電流値よりも大きいことを特徴とする撮像装置の駆動方法。
【請求項１７】
前記光電変換素子と前記増幅トランジスタとの間の電気的経路を、オンの状態で導通とし、オフの状態で非導通とする転送トランジスタをさらに有し、
前記転送トランジスタがオフの状態においては前記第１の電圧を前記第２の主ノードに入力し、前記転送トランジスタがオフからオンとなった状態から所定の期間は、前記第２の電圧を前記第２の主ノードに入力し、前記所定の期間の経過後から前記転送トランジスタが再びオフの状態になるまでの期間は、前記第１の電圧を前記第２の主ノードに入力することを特徴とする請求項１６に記載の撮像装置の駆動方法。